(57)【要約】【課題】  収納する電子機器（パソコン）に衝撃が伝わりにくい電子機器収納用バッグの提供。【解決手段】  一対の側面部と、両側面部の一端部どうしを開閉可能に接続する背面部と、背面部を除いて両側面部の周囲に取付けられたファスナー部とを備え、緩衝部を側面部の外周縁部の全周に亘って設け、緩衝部を合成樹脂から形成して側面部の外周縁部の全周に亘って中空とし、緩衝部の内部空間に、側面部に沿う方向のリブを、緩衝部の内面の対向部分に亘って形成した構成の電子機器収納用バッグ。【選択図】  図６
2011092504.tif 000002
【特許請求の範囲】
【請求項１】
一対の側面部と、該両側面部の一端部どうしを開閉可能に接続する背面部と、該背面部を除いて両側面部の周囲に取付けられたファスナー部とを備え、緩衝部が前記側面部の外周縁部の全周に亘って設けられた電子機器収納用バッグであって、
前記緩衝部は、前記側面部の外周縁部の全周に亘って中空に形成されていることを特徴とする電子機器収納用バッグ。
【請求項２】
緩衝部の内部空間に、側面部に沿う方向のリブが緩衝部の内面の対向部分に亘って形成されていることを特徴とする請求項１記載の電子機器収納用バッグ。
【請求項３】
緩衝部はその側部に、側面部に沿う方向の取付部を一体的に有し、前記緩衝部は前記取付部を介して側面部の外周縁部に固定されていることを特徴とする請求項１または請求項２記載の電子機器収納用バッグ。
【請求項４】
緩衝部は、厚み方向で対向する一対の第一側壁と、該第一側壁に連続して側面部に沿う方向で対向する一対の第二側壁とを有して矩形断面に形成されていることを特徴とする請求項１ないし請求項３の何れかに記載の電子機器収納用バッグ。
【請求項５】
緩衝部の外側の第二側壁は、電子機器の収納状態においてファスナー部よりも外側に位置付けられるよう構成されていることを特徴とする請求項４記載の電子機器収納用バッグ。
【請求項６】
緩衝部および取付部は樹脂から一体的に形成されていることを特徴とする請求項１ないし請求項５の何れかに記載の電子機器収納用バッグ。
【請求項７】
一対の側面部と、該両側面部の一端部どうしを開閉可能に接続する背面部と、該背面部を除いて両側面部の周囲に取付けられたファスナー部と、を備えた電子機器収納用バッグの、前記各側面部の外周縁部の全周に亘って設けられる緩衝部材であって、前記側面部の外周縁部の全周に亘って中空に形成されている緩衝部が設けられていることを特徴とする緩衝部材。
【請求項８】
緩衝部はその側部に、電子機器収納用バッグの側面部に沿う方向の取付部を一体的に有して、該取付部を介して電子機器収納用バッグに取付けられるよう構成されていることを特徴とする請求項７記載の緩衝部材。
【発明の詳細な説明】
【技術分野】
【０００１】
本発明は、ノート型のパーソナルコンピュータ等の電子機器の収納用バッグおよびこれに用いられる緩衝部材に関する。
【背景技術】
【０００２】
ノート型のパーソナルコンピュータ（以下「パソコン」という）や、ポータブルＣＤドライブ、ポータブルＤＶＤドライブ、ポータブルＨＤドライブ、ＡＣアダプタ・ケーブル、マウス等の電子機器には運搬時等になるべく衝撃を与えないようにすることが好ましい。
下記特許文献１には、これら電子機器を収納し、あるいは収納して運搬するための電子機器収納用バッグが開示されている。特許文献１には、一対の側面部と、両側面部の一端部どうしを開閉可能に接続する背面部と、背面部を除いて両側面部の周囲に取付けられたファスナー部とを有し、側面部の周囲に全周に亘って設けた枠材を有する電子機器収納用バッグが開示されている。枠材は金属材を、周回状をなすように屈曲させることで形成している。
【先行技術文献】
【特許文献】
【０００３】
【特許文献１】特開２００２−２１９０１４号公報
【発明の概要】
【発明が解決しようとする課題】
【０００４】
上記従来の電子機器収納用バッグでは、枠材は金属材であるから硬度が高く、このため電子機器収納用バッグの変形の抑制を期待できる。しかしながら、逆に枠材の硬度が高い分だけ、収納する電子機器に衝撃が伝わり易いという問題がある。
【０００５】
そこで本発明は上記課題に鑑み、収納する電子機器に衝撃が伝わりにくい電子機器収納用バッグおよび緩衝部材の提供を目的とする。
【課題を解決するための手段】
【０００６】
本発明の電子機器収納用バッグは、一対の側面部と、該両側面部の一端部どうしを開閉可能に接続する背面部と、該背面部を除いて両側面部の周囲に取付けられたファスナー部とを備え、緩衝部が前記側面部の外周縁部の全周に亘って設けられ、前記緩衝部は、前記側面部の外周縁部の全周に亘って中空に形成されていることを特徴としている。
【０００７】
上記構成において、緩衝部は中空に形成されているから、緩衝性が高く、したがって、例えば電子機器収納用バッグの搬送中に衝撃（落下や衝突）があったとしても、内部に収納した、パソコン等の電子機器に衝撃が伝わりにくい。
なお、一対の側面部と両側面部の一端部どうしを開閉可能に接続する背面部とは、それぞれを別部材として設けてこれらを一体的に取付ける構成でもよいし、両側面部と背面部とを本来的に一体物として形成するものであってもよい。
【０００８】
本発明の電子機器収納用バッグは、緩衝部の内部空間に、側面部に沿う方向のリブが緩衝部の内面の対向部分に亘って形成されていることを特徴としている。
上記構成によれば、緩衝部が中空に形成されていても、電子機器収納用バッグが衝撃を受けた場合、リブが変形することで衝撃を吸収し、しかもリブによって緩衝部の大きな変形が抑えられ、電子機器収納用バッグ全体の緩衝性を維持して、電子機器への衝撃を抑える。
【０００９】
本発明の電子機器収納用バッグでは、緩衝部はその側部に、側面部に沿う方向の取付部を一体的に有し、前記緩衝部は前記取付部を介して側面部の外周縁部に固定されていることを特徴としている。
上記構成によれば、取付部が変形することで衝撃を吸収し、取付部と緩衝部とが一体的に連繋して電子機器収納用バッグ全体の緩衝性を維持し、電子機器への衝撃を抑える。
【００１０】
本発明の電子機器収納用バッグでは、緩衝部は、厚み方向で対向する一対の第一側壁と、該第一側壁に連続して側面部に沿う方向で対向する一対の第二側壁とを有して矩形断面に形成されていることを特徴としている。
上記構成によれば、一対の第一側壁および一対の第二側壁により、側面部に沿う方向からの衝撃、厚み方向からの衝撃を受けて電子機器収納用バッグ全体の緩衝性を維持し、電子機器への衝撃を抑える。
【００１１】
本発明の電子機器収納用バッグでは、緩衝部の外側の第二側壁は、電子機器の収納状態においてファスナー部よりも外側に位置付けられるよう構成されていることを特徴としている。
上記構成によれば、ファスナー部よりも外側に位置した緩衝部の第二側壁によって衝撃を受けることが可能になるから、電子機器に近い位置にあるファスナー部から電子機器に衝撃が伝わるのが抑制される。
【００１２】
本発明の電子機器収納用バッグでは、緩衝部および取付部は樹脂から一体的に形成されていることを特徴としている。
緩衝部を樹脂から構成すれば、緩衝部が衝撃を受けてもその弾性により衝撃が吸収されて、電子機器収納用バッグに収納された電子機器に衝撃が伝わるのが効果的に抑制される。
【００１３】
本発明は、一対の側面部と、該両側面部の一端部どうしを開閉可能に接続する背面部と、該背面部を除いて両側面部の周囲に取付けられたファスナー部と、を備えた電子機器収納用バッグの、前記側面部の外周縁部の全周に亘って設けられる緩衝部材であって、前記各側面部の外周縁部の全周に亘って中空に形成されている緩衝部が設けられていることを特徴としている。
この緩衝部材を電子機器収納用バッグに用いることにより、電子機器収納用バッグに収納された電子機器に衝撃が伝わるのを抑制させられる。
【００１４】
本発明の緩衝部材では、緩衝部はその側部に、電子機器収納用バッグの側面部に沿う方向の取付部を一体的に有して、該取付部を介して電子機器収納用バッグに取付けられるよう構成されていることを特徴としている。
【発明の効果】
【００１５】
本発明の電子機器収納用バッグでは、側面部の周囲に、緩衝部が全周に亘って設けられ、緩衝部において、側面部の外側周囲に固定されるとともに、側面部の周囲全周に亘って中空に形成した樹脂製の緩衝部を設けているから電子機器収納用バッグ全体の緩衝性が高く、したがって、電子機器収納用バッグの搬送中等に落下などの衝撃があったとしても、内部に収納したパソコン等の電子機器に衝撃が伝わりにくく、もって電子機器を確実に保護することができる。
【図面の簡単な説明】
【００１６】
【図１】本発明の実施形態を示す電子機器収納用バッグの平面図
【図２】同じく底面図
【図３】同じく側面図
【図４】同じく正面図
【図５】同じく全体縦断面図
【図６】同じく要部拡大縦断面図
【図７】同じく緩衝部材の拡大断面図
【図８】同じく正面図
【図９】別の実施形態を示す緩衝部材の拡大端面図
【図１０】さらに別の実施形態を示す要部拡大縦断面図
【発明を実施するための形態】
【００１７】
以下、本発明の実施形態に係る電子機器収納用バッグを、図面に基づいて説明する。本発明の実施形態の電子機器収納用バッグは、主としてノート型のパソコンを収納するために用いられる。
図１は電子機器収納用バッグの平面図、図２は底面図、図３は側面図、図４は正面図、図５は縦断面図、図６は要部拡大断面図、図７は緩衝部材の拡大断面図、図８はその正面図である。
【００１８】
図１ないし図４に示すように、電子機器収納用バッグ１は、一対の側面部２と、両側面部２の一端部どうしを開閉可能に接続する背面部３と、背面部３を除いて両側面部２の周囲に取付けられたスライドファスナ（ファスナー部）４と、緩衝部５とを備えている。
【００１９】
各側面部２は正面視して略矩形に形成されており、図５および図６に示すように、外側の外皮２１と内側（パソコンＰを収納する側）の緩衝マット２２とから厚み方向Ｂに二層に構成されている。厚み方向Ｂとは、電子機器収納用バッグ１の厚み方向であり、両側面部２（緩衝マット２２）で挟み込まれるパソコンＰの厚み方向である。
外皮２１および緩衝マット２２は、ともにその外周縁部２３が厚み方向Ｂに折曲され、外周縁部２３どうしは面方向Ｆ（側面部に沿う方向に相当する）に沿う内外方向で重ねられている。この場合、面方向Ｆは縦方向、横方向を含む概念である。
【００２０】
スライドファスナ４は、側面部２どうしを開放側（厚み方向Ｂ内側）で着脱自在に取付けるものであり、一般的な構成を有している。すなわち、スライドファスナ４はテープ部４１と、エレメント４２と、スライダ４３とから構成されている。
外皮２１の外周縁部２３の外側面にスライドファスナ４のテープ部４１が重ねられ、面方向Ｆに沿う内外方向で重ねられている外周縁部２３の端部どうしと、スライドファスナ４のテープ部４１とが縫着部Ｓ１によって縫着されて一体化されている。
但し、外周縁部２３の端面２３ａおよびテープ部４１の端辺４１ａを保護するために、外周縁部２３の端部およびテープ部４１の端部は厚み方向Ｂの内方から保護テープ６で覆われて保護された態様で、保護テープ６、テープ部４１、外周縁部２３が、縫着部Ｓ１によって縫着されて一体化されている。
【００２１】
ここで緩衝部材を構成する緩衝部５の構成を説明する。なお、緩衝部５および後述する取付部７は一方側の側面部２と他方側の側面部２とで対称形状であるので、同一の符号を付して説明する。
緩衝部５は、各側面部２の外周縁部２３の外側の全周に亘って設けられている。この緩衝部５は合成樹脂（この場合、樹脂の一例である合成ゴム）から形成されて、側面部２の外周縁部の外側の全周に亘って中空に形成されている。
具体的に緩衝部５は、厚み方向Ｂで対向する一対の第一側壁５１と、第一側壁５１に連続して面方向Ｆに沿う方向で対向する一対の第二側壁５２とを有して矩形断面（長方形の角筒断面）に形成されている。
第一側壁５１は、面方向Ｆに沿う方向に平行に配置されている。第二側壁５２は、厚み方向Ｂに沿う方向に平行に配置されている。緩衝部５の四隅部は円弧状に形成されている。
【００２２】
緩衝部５の内部空間に、面方向Ｆに沿う方向の壁状のリブ５３が、緩衝部５の、第二側壁５２の内面の対向部分に亘って一体的に形成されている。
リブ５３は第二側壁５２において、電子機器収納用バッグ１の厚み方向Ｂ中心に配置されている。リブ５３の肉厚は第一側壁５１、第二側壁５２の肉厚に比べて小さく設定されている。
【００２３】
緩衝部５に取付部７が一体的に形成されている。この実施形態では、緩衝部５と取付部７とで、緩衝手段である緩衝部材を構成している。取付部７は緩衝部５とともに外周縁部２３の外側の全周に亘って設けられている。取付部７は外側の第一側壁５１から外周縁部２３側へ向けて延長された脚条片７２と、脚条片７２の端部から厚み方向Ｂの内方に折曲された取付条片７１とから断面略Ｌ字形に形成されている。該折曲部分は湾曲形状に形成されている。
図７および図８に示すように、脚条片７２の肉厚は、取付条片７１の肉厚に比べて厚く形成されており、取付部７は可撓性を有する。特に、脚条片７２と取付条片７１との連続部分（折曲部分）７３は取付部７をＬ字形へ復元する弾性復元力を有する。
【００２４】
緩衝部５は、取付部７の取付条片７１が外周縁部２３の外側に重ねられて外周縁部２３と縫着部Ｓ２を介して縫着されることで、外周縁部２３に一体的に取付けられる。
このような緩衝部５および取付部７は、押出し成形により長尺物として一体的に形成され、所定の長さに切断して、外周縁部２３の外側の全周に亘って設けられる。
【００２５】
スライドファスナ４のテープ部４１が張られた状態（パソコンＰを収納した状態）において、外側の第二側壁５２はスライドファスナ４よりも外側に位置するようになっている。換言すれば、スライドファスナ４のテープ部４１が張られた状態では、テープ部４１（エレメント４２）の表面と、第二側壁５２の表面５２ａとは、所定高さｈの段差を生じるよう、第二側壁５２の表面位置が設定されている。
また、外側の第一側壁５１の表面５１ａと側面部２（外皮２１）の表面２ａとはほぼ面一、あるいは外側の第一側壁５１の表面５１ａが側面部２の表面２ａに比べて外方に突出している。
なお、図３ないし図５中の符号８は、一方の側面部２の表面に形成した溝であり、この溝８により、デザイン性を向上させている。
【００２６】
上記構成において、背面部３を中心に両側面部２を開いて、パソコンＰを、両側面部２どうしで挟み込むようにして、スライドファスナ４を閉じると、緩衝マット２２が弾性変形してパソコンＰが電子機器収納用バッグ１内に収納される。このときスライドファスナ４のテープ部４１は、両縫着部Ｓ１間で張って、厚み方向Ｂに略沿うようになる。
パソコンＰが電子機器収納用バッグ１内に収納されると、側面部２側から衝撃が加わっても、緩衝マット２２によってパソコンＰを保護することができる。
【００２７】
この実施形態に係る電子機器収納用バッグ１では、スライドファスナ４のテープ部４１が張られた状態では、テープ部４１（エレメント４２）の表面と、第二側壁５２の表面５２ａとは、所定高さｈの段差を生じるよう、第二側壁５２の表面位置が設定されている。このため、例えば電子機器収納用バッグ１の搬送中に落下させてしまった場合に、床面等には緩衝部５の外側の第二側壁５２が接触し易い。そして緩衝部５は、合成樹脂から中空に形成されており、弾性変形し易いから緩衝性が高い。
【００２８】
したがって、緩衝部５が変形するような衝撃（例えば、落下）があったとしても、緩衝部５が弾性変形することで衝撃が吸収されて、内部に収納したパソコンに衝撃が伝わりにくい。また、緩衝部５は断面矩形に形成されているから、電子機器収納用バッグ１が落下したときなどは、平面である表面５２ａが床面等に接触し易くなる。そうなると、衝撃を広い面で受けることになるから、その分だけ緩衝性も高く、パソコンＰに伝わる衝撃を抑制することができる。
【００２９】
加えて、緩衝部５の内部空間には、面方向Ｆに沿う方向の壁状のリブ５３が、緩衝部５の、第二側壁５２の内面の対向部分に亘って一体的に形成されている。このため、緩衝部５が衝撃を受けると、リブ５３が弾性変形することで、より緩衝性が向上し、パソコンＰに衝撃が伝達されるのを抑制することができる。
【００３０】
さらに、緩衝部５は可撓性を有する取付部７を介して外周縁部２３に取付けられている。したがって、取付部７が撓む（弾性変形する）ことによっても緩衝性が向上し、パソコンＰに伝達される衝撃を抑制することができる。
【００３１】
そしてこの実施形態では、テープ部４１の表面と第二側壁５２の表面５２ａとで所定高さｈの段差を生じるよう第二側壁５２の表面位置を設定し、外側の第一側壁５１の表面５１ａと側面部２の表面２ａとはほぼ面一、あるいは外側の第一側壁５１の表面５１ａを側面部２の表面２ａに比べて外方に突出させ、第一側壁５１および第二側壁５２はそれぞれ一対で設けて、緩衝部５を角筒状に形成している。
このため、側面部２に沿う面方向Ｆからの衝撃、および厚み方向Ｂからの衝撃を緩衝し、電子機器収納用バッグ１全体の緩衝性を確保して、パソコンＰへの衝撃を確実に抑制することができる。
【００３２】
本発明は上記実施形態に限定されず、本発明の主旨を逸脱しない範囲で種々変形が可能である。その他、各部の具体的構成についても上記実施形態に限られるものではない。
例えば、図９には、緩衝部材の別例を示している。上記図１ないし図８に示した実施形態では、緩衝部５の断面形状を略矩形に形成している。これに対して図９の断面図に示す例では、緩衝部５０を円筒状に形成して、緩衝部５０の径方向に沿うようなリブ５３０を形成している。この場合では、緩衝部５０の外周面５０ａが，テープ部４１（あるいはエレメント４２）の表面と、所定高さｈの段差を生じるよう設定される。他の構成は、図１ないし図８で示した構成と同様であり、同一の符号を付している。
【００３３】
図９のような円筒状の断面を有する緩衝部５０では、角筒断面の緩衝部に比べて衝撃を受ける面が少なくなる場合も考えられるものの、円筒状を崩すように変形する衝撃が働くと、その変形により衝撃が吸収されて、パソコンＰに伝えられる衝撃を抑制することができる。
【００３４】
図１０にさらに別の実施形態の断面図を示す。図１０は図６に対比する断面図であり、図１０の実施形態が図１ないし図８で示した構成と異なる部分は、取付部７が内側の第一側壁５１から外周縁部２３側へ向けて延長された脚条片７２と、脚条片７２の端部から厚み方向Ｂの外方に折曲された取付条片７１とから断面略Ｌ字形に形成されている点である。
また、取付部７の取付条片７１が外周縁部２３の外側に重ねられて外周縁部２３と縫着部Ｓ２を介して縫着されることで、外周縁部２３に一体的に取付けられる点は、上記各実施形態と同様である。他の構成も上記実施形態と同様であるから、同一の符号を付してその説明を省略する。また図１ないし図８で示した実施形態と同様の作用効果を奏し得る。
【符号の説明】
【００３５】
１…電子機器収納用バッグ、２…側面部、３…背面部、４…スライドファスナ、５…緩衝部、７…取付部、２２…緩衝マット、２３…外周縁部、４１…テープ部、５０…緩衝部、５１…第一側壁、５２…第二側壁、５３…リブ、Ｐ…パソコン
【図１】
2011092504.tif 000003
【図２】
2011092504.tif 000004
【図３】
2011092504.tif 000005
【図４】
2011092504.tif 000006
【図５】
2011092504.tif 000007
【図６】
2011092504.tif 000008
【図７】
2011092504.tif 000009
【図８】
2011092504.tif 000010
【図９】
2011092504.tif 000011
【図１０】
2011092504.tif 000012